(57)【特許請求の範囲】
【請求項１】
放送チャンネルに対応する番組情報を受信する受信手段と、
前記受信手段によって一定時間以上受信された前記番組情報に対応する前記放送チャンネルの受信の順番を履歴情報として記憶する履歴記憶手段と、
前記受信手段において受信対象となる前記放送チャンネルの変更指示を行う操作手段と、
前記操作手段を用いた変更指示がなされたときに、前記履歴記憶手段によって記憶された前記履歴情報に基づいて、前記放送チャンネルの受信の順番にしたがって、前記受信手段によって受信される前記放送チャンネルを切り替える選局処理手段と、
を備え、前記選局処理手段は、前記履歴情報に基づく前記放送チャンネルの切り替えが一巡した場合に、前記履歴情報に基づく前記放送チャンネルの切り替えを終了させ、前記操作手段を用いた変更指示がなされたときに、前記放送チャンネルのチャンネル番号を順番に増加あるいは減少させて前記放送チャンネルを切り替えることを特徴とする受信機。
【請求項２】
請求項１において、
前記選局処理手段は、前記操作手段を用いた変更指示が複数回繰り返されたときに、前記受信手段による受信対象となる前記放送チャンネルを、前記履歴記憶手段に基づいて順番に切り替えることを特徴とする受信機。
【請求項３】
請求項１または２において、
前記受信手段による前記番組情報の受信継続時間が所定値を超える場合に、この番組情報に対応する前記放送チャンネルを前記履歴情報に追加する処理を行う履歴更新手段をさらに備えることを特徴とする受信機。
【請求項４】
請求項１〜３のいずれかにおいて、
前記履歴記憶手段に記憶される前記履歴情報には、前記受信手段による前記番組情報の受信頻度が含まれており、
前記選局処理手段は、前記受信頻度が高い順に、次に前記受信手段によって受信対象となる前記放送チャンネルの設定を行うことを特徴とする受信機。
【発明の詳細な説明】
【０００１】
【発明の属する技術分野】
本発明は、多チャンネルの番組を受信する受信機に関する。
【０００２】
【従来の技術】
最近では、映像信号や音声信号をデジタル化して番組放送を行う各種のデジタル放送が実用化されている。例えば、通信衛星デジタル放送（ＣＳデジタル放送）や、欧州等におけるデジタルオーディオ放送ＤＡＢ（Digital Audio Broadcasting）等のデジタル放送が実用化され、高品質な映像や音声による番組放送が行われている。一般に、デジタル方式の放送形態は、従来のアナログ方式の放送形態よりも電波の有効利用が可能であるため、一の放送波に対して多くの番組を多重化することができる。このため、各種のデジタル放送では、従来のアナログ放送に比べて受信可能なチャンネル数が格段に多くなり、いわゆる多チャンネル放送が実現される。
【０００３】
【発明が解決しようとする課題】
ところで、多チャンネル放送を受信する受信機では、選局対象となるチャンネル数が多いため、利用者が所望のチャンネルを選択して番組内容を聴取するまでの操作回数が多くなって操作が煩雑であるとともに、受信したい番組の聴取を開始するまでにかかる時間が長くなるという問題があった。例えば、図８に示すように、チャンネル番号１の番組を受信した後にチャンネル番号２の番組を受信し、さらにチャンネル番号３の番組を受信する場合を考えると、チャンネル番号を増減して切り替えるために設けられたアップ／ダウンキーを用いる場合には、チャンネル番号を１→２→３→４→５→６の順で切り替えることになる。そして、その後、再びチャンネル番号１の番組の聴取を行う場合には、図９に示すように、チャンネル番号を６→５→４→３→２→１の順に切り替える必要があり、アップ／ダウンキーの操作回数が多くなってしまう。
【０００４】
本発明は、このような点に鑑みて創作されたものであり、その目的は、番組の選択に要する手間と時間を低減することができる受信機を提供することにある。
【０００５】
【課題を解決するための手段】
上述した課題を解決するために、本発明の受信機は、放送チャンネルに対応する番組情報を受信する受信手段と、受信手段によって受信された番組情報に対応する放送チャンネルの履歴情報を記憶する履歴記憶手段と、受信手段において受信対象となる放送チャンネルの変更指示を行う操作手段と、操作手段を用いた変更指示がなされたときに、履歴記憶手段によって記憶された履歴情報に基づいて、受信手段によって受信される放送チャンネルを設定する選局処理手段とを備えている。番組情報の受信履歴に基づいて受信対象となる放送チャンネルの選択を行うことにより、選択頻度の高い番組の選択に要する手間と時間を大幅に低減することができる。
【０００６】
また、上述した選局処理手段は、操作手段を用いた変更指示が複数回繰り返されたときに、受信手段による受信対象となる放送チャンネルを、履歴記憶手段に基づいて順番に切り替えることが望ましい。受信履歴に基づいて順番に放送チャンネルを辿ることが可能になるため、利用者が選択する可能性の高い番組を次々に受信することができる。
【０００７】
また、上述した受信手段による番組情報の受信継続時間が所定値を超える場合に、この番組情報に対応する放送チャンネルを履歴情報に追加する処理を行う履歴更新手段をさらに備えることが望ましい。受信継続時間がある程度長い場合にのみ履歴情報として追加されるため、選局途中で番組情報の内容を確かめるために受信したような場合や誤って選局した場合等における頻繁な履歴情報の更新を防止することができ、本当に受信を希望する可能性の高い放送チャンネルを履歴情報に含ませることが可能になる。
【０００８】
また、上述した履歴記憶手段に記憶される履歴情報には、受信手段による番組情報の受信頻度が含まれており、選局処理手段は、受信頻度が高い順に、次に受信手段によって受信対象となる放送チャンネルの設定を行うことが望ましい。受信時間や受信回数等の受信頻度を考慮して放送チャンネルの選択が行われるため、本当に受信を希望する可能性の高い放送チャンネルを選局対象とすることが可能になる。
【０００９】
また、上述した選局処理手段は、所定個数の放送チャンネルについて履歴情報に基づく設定を行い、その個数を超える分については受信周波数順あるいは放送チャンネル番号順に、次に受信対象となる放送チャンネルの設定を行うことが望ましい。これにより、受信を希望する可能性の高い放送チャンネルについて、利用者が実際に受信を希望しない場合に、その他の任意の放送チャンネルの番組を受信することが可能になる。
【００１０】
【発明の実施の形態】
以下、本発明を適用した一実施形態の受信機について、図面を参照しながら説明する。
図１は、一実施形態の受信機の構成を示す図である。図１に示す受信機は、デジタルオーディオ放送を受信するためのものであり、アンテナ１、フロントエンド部（Ｆ／Ｅ）２、復調部３、チャンネル選択部４、音声デコード部５、デジタル−アナログ（Ｄ／Ａ）変換部６、アンプ７、スピーカ８、制御部９、操作部１０、表示部１１、メモリ１２を含んで構成されている。
【００１１】
フロントエンド部２は、アンテナ１を介して受信した放送波の中から所望の受信周波数（同調周波数）成分を抽出するとともに、この抽出した信号に対して周波数変換を行った中間周波信号を出力する。
復調部３は、フロントエンド部２から出力される中間周波信号をデジタルデータに変換した後に所定の復調処理を行うことにより放送データを復調する。
【００１２】
例えば、本実施形態では複数の番組が１つの放送信号の中に多重化され、所定のフレーム単位で送信されており、先頭から順に（１）同期信号、（２）付属情報、（３）配信情報が含まれている。同期信号は、フレームの開始点を認識するためなどに用いられる。配信情報は、番組に対応する音声を再生するための情報であり、複数の番組に対応して複数の配信情報＃１、＃２、＃３、…、＃ｎが含まれている。また付属情報は、各放送チャンネルの番組に関する各種情報を含んでいる。具体的には、付属情報には、各番組に対応する放送チャンネルの番号やチャンネル名称、各番組の概略的な内容を表すカテゴリ、各放送チャンネルが現在放送中であるか否かの識別情報、その他各種の情報が含まれている。この付属情報を調べることにより、各放送チャンネルの配信情報が現在放送中であるか否かを判定することができる。
【００１３】
チャンネル選択部４は、制御部９からの指示に基づいて、復調部３から出力される送信データの中から所望の放送チャンネルの配信情報を抽出し、音声デコード部５に出力する。
音声デコード部５は、チャンネル選択部４から出力される配信情報に対して所定の伸長処理を行うことにより音声データを生成する。
【００１４】
デジタル−アナログ変換部６は、音声デコード部５から出力される音声データをアナログ信号に変換する。
アンプ７は、デジタル−アナログ変換部６から出力されるアナログ信号を所定のゲインで増幅してスピーカ８に出力する。スピーカ８は、増幅後のアナログ信号に対応した音声を出力する。
【００１５】
制御部９は、操作部１０を用いて行われる操作指示に対応して受信機の各部を制御し、任意の放送チャンネルの番組の受信制御や、本実施形態で追加されたダイレクトシーク機能（後述する）を用いた選局処理などの各種の制御動作を行う。この制御部９は、ＣＰＵ、ＲＯＭ、ＲＡＭなどを含むコンピュータとしての構成を有しており、ＲＯＭあるいはＲＡＭに格納された所定のソフトウェア（プログラム）を実行することにより制御動作を行う。
【００１６】
操作部１０は、利用者がチャンネル選択など各種の操作指示を行うための操作キーを備えており、操作キーの操作状況に応じた信号を制御部９に出力する。例えば、この操作キーには、受信中のチャンネル番号の増減を指示するアップ／ダウンキー３０と、ダイレクトシーク機能の有効・無効を指示する「ＤＳ」キー３２が少なくとも含まれている。
【００１７】
表示部１１は、現在受信している放送チャンネルに付加されているチャンネル名やカテゴリ、あるいは利用者による操作部１０の操作状況などを表示する。メモリ１２は、受信したチャンネルの履歴情報を記憶する。
また、制御部９は、機能に着目すると、受信処理部２０、履歴更新処理部２２、選局処理部２４等の機能ブロックとを含んで構成されている。受信処理部２０は、放送信号を受信して各チャンネルに対応した音声を出力するために、フロントエンド部２や復調部３等の各構成を制御する処理を行う。履歴更新処理部２２は、新たなチャンネルが選局される毎に、メモリ１２に記憶された履歴情報を更新する処理を行う。選局処理部２４は、操作部１０に備わったアップ／ダウンキー３０が押下されたときに、メモリ１２に記憶された履歴情報に基づいて受信対象となるチャンネルを切り替える処理を行う。次に、受信対象となるチャンネルが決定されると、そのチャンネル番号が選局処理部２４からチャンネル選択部４に送られる。
【００１８】
上述したアンテナ１、フロントエンド部２、復調部３、チャンネル選択部４、制御部９が受信手段に、操作部１０が操作手段に、メモリ１２が履歴記憶手段に、履歴更新処理部２２が履歴更新手段に、選局処理部２４が選局処理手段にそれぞれ対応する。
【００１９】
本実施形態の受信機はこのような構成を有しており、次にその動作について説明する。本実施形態の受信機には、受信対象となるチャンネルの切り替えが行われたときにその履歴情報を記憶しておいて、次に特定の操作が行われたときに、その履歴情報に基づいてチャンネルの切り替えを行う機能が備わっており、本明細書では、この機能を「ダイレクトシーク機能」と称して説明を行うものとする。
【００２０】
図２は、ダイレクトシーク機能を実現する受信機の動作手順を示す流れ図である。
受信機の電源が投入されると、制御部９内の受信処理部２０の制御に基づいて特定の放送チャンネルに対応した番組情報の受信動作が開始される（ステップ１００）。例えば、電源切断時に受信していた放送チャンネルのチャンネル番号がメモリ１２に記憶されており、次に電源が投入されたときに、このチャンネル番号が読み出されて、このチャンネル番号の受信情報の受信が行われる。
【００２１】
次に、選局処理部２４は、ダイレクトシーク機能が有効か否かを判定する（ステップ１０１）。ダイレクトシーク機能が有効であるか無効であるかは、操作部１０に備わったＤＳキー３２の押下状態に応じて設定される。例えば、利用者によってＤＳキーが押下されている場合にはダイレクトシーク機能が有効になっており、反対に、ＤＳキー３２が押下されていない場合にはダイレクトシーク機能が無効になっている。
【００２２】
ＤＳキー３２が押下されておらずダイレクトシーク機能が無効になっている場合にはステップ１０１の判定において否定判断が行われ、次に、選局処理部２４は、操作部１０に備わったアップ／ダウンキー３０が押下されたか否かを判定する（ステップ１０２）。アップ／ダウンキー３０が押下されない場合には否定判断が行われ、ステップ１０１に戻ってダイレクトシーク機能が有効であるか否かの判定が繰り返される。
【００２３】
また、利用者によってアップ／ダウンキー３０が押下された場合には、ステップ１０２の判定において肯定判断が行われ、次に、履歴更新処理部２２は、現在のチャンネルに対応する番組情報の受信を開始してから一定時間が経過したか否かを判定する（ステップ１０３）。一定時間が経過している場合には肯定判断が行われ、次に、履歴更新処理部２２は、メモリ１２に記憶されている履歴情報に現在受信中のチャンネルの番号を追加して履歴情報を更新する（ステップ１０４）。
【００２４】
履歴情報の更新が終了した後、あるいは、現在のチャンネルに対応する番組情報の受信を開始してから一定時間が経過していないためにステップ１０３の判定において否定判断が行われた場合には、次に、選局処理部２４は、アップ／ダウンキー３０の押下状態に応じて切り替え先となるチャンネルを決定し、チャンネル選択部４に指示を送って次のチャンネルに変更する処理を行う（ステップ１０５）。例えば、アップ／ダウンキー３０の上半分のアップ指示領域が押下された場合にはチャンネル番号を１だけ増加させるチャンネル変更処理が行われ、アップ／ダウンキー３０の下半分のダウン指示領域が押下された場合にはチャンネル番号を１だけ減少させるチャンネル変更処理が行われる。
【００２５】
次に、受信処理部２０の制御に基づいて、この切り替えられたチャンネルに対応した番組情報の受信動作が開始される（ステップ１０６）。その後、ステップ１０２に戻ってアップ／ダウンキー３０が押下されたか否かの判定以降の処理が繰り返される。
【００２６】
また、利用者によって操作部１０に備わったＤＳキー３２が押下されてダイレクトシーク機能が有効になっている場合には、上述したステップ１０１の判定において肯定判断が行われ、次に、選局処理部２４は、アップ／ダウンキー３０が押下されたか否かを判定する（ステップ１０７）。アップ／ダウンキー３０が押下されない場合には否定判断が行われ、ステップ１０１に戻ってダイレクトシーク機能が有効であるか否かの判定が繰り返される。
【００２７】
また、利用者によってアップ／ダウンキー３０が押下された場合には、ステップ１０７の判定において肯定判断が行われ、次に、選局処理部２４は、メモリ１２に記憶された履歴情報に基づいて、次の切り替え先となるチャンネルを検索し（ステップ１０８）、チャンネル選択部４に指示を送って次のチャンネルに変更する処理を行う（ステップ１０９）。例えば、アップ／ダウンキー３０の下半分のダウン指示領域が押下された場合には、現在のチャンネルより１つ前に受信したチャンネルの番号を履歴情報に基づいて特定し、この特定したチャンネルに変更する処理が行われる。また、このようにしてアップ／ダウンキー３０のダウン指示領域が複数回繰り返し押下された場合にはその都度履歴情報に基づいて受信チャンネルを過去に辿ってチャンネルの切り替えが行われるが、その途中でアップ／ダウンキー３０の上半分のアップ指示領域が押下されると、履歴情報に基づいて受信チャンネルを反対方向（過去から現在に向かう方向）に辿ってチャンネルの切り替えが行われる。
【００２８】
次に、受信処理部２０の制御に基づいて、この切り替えられたチャンネルに対応した番組情報の受信動作が開始される（ステップ１１０）。その後、ステップ１０２に戻ってアップ／ダウンキー３０が押下されたか否かの判定以降の処理が繰り返される。
【００２９】
図３は、ダイレクトシーク機能が無効になっているときに行われる履歴情報の更新処理の概要を示す図である。図３において、時間の流れがｔで示された矢印で表されている。また、１〜６の数字は、選局動作が行われた複数のチャンネルを順番に示すためのものであり、例えばこの番号がチャンネル番号そのものに対応しているものとする。
【００３０】
上述したように、ダイレクトシーク機能が無効になっている場合（図２のステップ１０１の判定で否定判断が行われた場合）には、一定時間以上受信状態が継続したチャンネルについて履歴情報が追加される。図３に示した例では、チャンネル番号１、５、６に対応する番組情報が一定時間以上継続して受信され、これらのチャンネル番号が受信履歴にその都度追加される。一方、それ以外のチャンネル番号２、３、４に対応する番組情報の受信時間は、一定時間に満たない短時間であり、この場合には履歴情報の更新が行われない。例えば、チャンネル番号１の番組を聴取していた利用者が、次にチャンネル番号５の番組を聴取したいと考えたときに、アップ／ダウンキー３０を何回か押下してチャンネル番号を２、３、４、５の順に切り替えた場合や、聴取したい番組であるか否かを各番組を数秒間聴取して確かめながらチャンネルの変更を行い、その結果チャンネル番号５に切り替えたときに聴取したい番組を見つけた場合等の選局動作に対応している。このような場合には、チャンネル番号１から５に至るまでに途中で短時間だけ選局されたチャンネル番号２、３、４については履歴情報の更新が行われず、利用者が本当に聴取を希望する番組のチャンネル番号のみが履歴情報としてメモリ１２に記憶される。
【００３１】
図４は、ダイレクトシーク機能が有効になっているときに行われるチャンネル切り替え動作の概要を示す図である。図３に示したように、チャンネル番号１、５の順で履歴情報が更新され、現時点における受信チャンネルの番号が６であり、その時点でダイレクトシーク機能が有効になっているものとする。このような状態において利用者によってアップ／ダウンキー３０のダウン指示領域が押下されると、履歴更新処理部２２は、その時点で受信中の番組に対応するチャンネル番号６を追加する履歴情報の更新処理を行い、選局処理部２４は、この履歴情報に基づいて直前に受信していたチャンネル番号５を検索してチャンネルの切り替えを実施する。その結果、チャンネル番号５の番組の受信が開始される。この状態において、再びアップ／ダウンキー３０のダウン指示領域が押下されると、さらに過去に向かって履歴を辿ることによりチャンネル番号１が検索されてチャンネルの切り替えが行われ、反対にアップ／ダウンキー３０のアップ指示領域が押下されると、その時点に対応する過去から現在に向かって履歴を辿ることによりチャンネル番号６が検索されてチャンネルの切り替えが行われる。
【００３２】
このように、本実施形態の受信機では、番組情報の受信履歴を示す履歴情報がメモリ１２に記憶されており、この履歴情報に基づいて、切り替え後に受信対象となる放送チャンネルの選択が行われるため、利用者が過去に聴取したことがある選択頻度の高い番組を再度選択する際の手間と時間を低減することができる。
【００３３】
特に、ダイレクトシーク機能が有効のときに、アップ／ダウンキー３０を繰り返し押下することにより、利用者が過去に受信したことがある番組を次々に簡単な操作で呼び出して受信することができるため、選局操作の手間と時間を大幅に低減することができる。
【００３４】
また、受信時間が短い番組については履歴情報の更新を行わないようにすることで、利用者が本当に聴取を希望する番組についてのみ履歴情報として残すことが可能になり、不要な番組受信を排除するために必要になる煩雑な操作を回避することができる。
【００３５】
図５は、本実施形態の受信機の動作手順の変形例を示す流れ図である。図５に示す流れ図は、図２に示した流れ図に対して、ステップ１０３とステップ１０４の間に、チャンネル番号の重複の有無を判定する処理とその判定結果に応じて実施される履歴情報の更新処理に関するステップ２００、２０１の動作を追加した点が異なっている。
【００３６】
すなわち、現在のチャンネルに対応する番組情報の受信を開始してから一定時間が経過してステップ１０２の判定において肯定判断が行われると、次に、履歴更新処理部２２は、履歴情報に含まれる一あるいは複数のチャンネル番号と、一定時間以上継続して番組を受信している現時点におけるチャンネルの番号とが重複しているか否かを判定する（ステップ２００）。重複していない場合には否定判断が行われ、チャンネル番号を追加して履歴情報を更新するステップ１０４の処理に移行する。また、チャンネル番号が重複している場合には、履歴更新処理部２２は、このチャンネル番号を履歴情報に追加する代わりに、このチャンネル番号に対応する履歴順番を入れ替える更新処理を行う（ステップ２０１）。例えば、図３に示した例で、チャンネル番号６の番組を受信した後に再びチャンネル番号１の番組を受信した場合には、履歴情報に含まれるチャンネル番号の順番が１→５→６であったものが５→６→１に変更される。その後、チャンネルを切り替えるステップ１０５の処理に移行する。
【００３７】
このように、履歴情報に同じチャンネル番号の番組受信履歴が含まれているときに、重複した履歴を排除して順番のみを更新することにより、操作部１０を操作したときに何度も同じ番組が選択される不都合およびこれに伴って生じる手間をなくすことができるため、操作性の向上および希望する番組を選択するまでの時間の短縮が可能になる。
【００３８】
図６は、本実施形態の受信機の動作手順の他の変形例を示す流れ図である。図５に示す流れ図は、図２に示した流れ図に対して、ステップ１０４とステップ１０８の処理を、聴取頻度を考慮した履歴情報の更新やチャンネル切り替えを行うステップ３００とステップ３０１の処理に置き換えた点が異なっている。
【００３９】
すなわち、現在のチャンネルに対応する番組情報の受信を開始してから一定時間が経過してステップ１０３の判定において肯定判断が行われると、次に、履歴更新処理部２２は、その時点で受信中の番組の聴取頻度を考慮した履歴情報の更新を行う（ステップ３００）。例えば、聴取頻度としては聴取時間や聴取回数が考えられ、このような聴取頻度を含めた履歴情報の作成が行われる。
【００４０】
また、ダイレクトシーク機能が有効になった後、アップ／ダウンキー３０が押下されてステップ１０７の判定で肯定判断が行われると、次に、選局処理部２４は、聴取頻度を考慮して履歴情報に基づくチャンネル切り替え処理を行う（ステップ３０１）。例えば、受信履歴を辿っていって次に切り替えを行うチャンネルを検索していくのではなく、聴取頻度が高いチャンネル番号が履歴情報に基づいて検索される。これにより、利用者が最も聴取したい可能性の高いチャンネルに切り替えることができる。
【００４１】
図７は、本実施形態の受信機の動作手順の他の変形例を示す流れ図である。図７に示す流れ図は、図２に示した流れ図に対して、ステップ１０７とステップ１０８の処理の間に、履歴情報に基づくチャンネル切り替えが一巡したか否かを判定するステップ４００の処理を追加した点が異なっている。
【００４２】
すなわち、受信履歴を辿っていっても利用者が聴取したい番組のチャンネルが見つからない場合、例えばいままでに聴いたことがない番組を聴取したい場合等においては、履歴情報に含まれないチャンネルに切り替える必要がある。このため、選局処理部２４は、履歴情報に基づくチャンネルの切り替えが一巡した場合（ステップ４００の判定で肯定判断した場合）には、ステップ１０５に移行して履歴情報に基づかないチャンネルの切り替えを行うようにしている。これにより、受信履歴を辿っていって聴取を希望するチャンネルが見つからない場合には、そのままそれ以外のチャンネルに切り替えることができ、利用者が希望する番組を受信するまでの手間を低減することができる。
【００４３】
なお、本発明は上記実施形態に限定されるものではなく、本発明の要旨の範囲内において種々の変形実施が可能である。例えば、上述した実施形態では、音声によって提供される番組を受信する受信機について説明したが、映像および音声によって提供される番組を受信する受信機についても本発明を適用することができる。
【００４４】
【発明の効果】
上述したように、本発明によれば、番組情報の受信履歴に基づいて受信対象となる放送チャンネルの選択を行うことにより、選択頻度の高い番組の選択に要する手間と時間を大幅に低減することができる。
【図面の簡単な説明】
【図１】一実施形態の受信機の構成を示す図である。
【図２】ダイレクトシーク機能を実現する受信機の動作手順を示す流れ図である。
【図３】ダイレクトシーク機能が無効になっているときに行われる履歴情報の更新処理の概要を示す図である。
【図４】ダイレクトシーク機能が有効になっているときに行われるチャンネル切り替え動作の概要を示す図である。
【図５】本実施形態の受信機の動作手順の変形例を示す流れ図である。
【図６】本実施形態の受信機の動作手順の他の変形例を示す流れ図である。
【図７】本実施形態の受信機の動作手順の他の変形例を示す流れ図である。
【図８】従来のチャンネル切り替えの具体例を示す図である。
【図９】従来のチャンネル切り替えの具体例を示す図である。
【符号の説明】
２  フロントエンド部
３  復調部
４  チャンネル選択部
５  音声デコード部
６  Ｄ／Ａ変換部
９  制御部
１０  操作部
１２  メモリ
２０  受信処理部
２２  履歴更新処理部
２４  選局処理部
３０  アップ／ダウンキー
３２  ＤＳ（ダイレクトシーク）キー
【図１】
0004018407.tif 000002
【図２】
0004018407.tif 000003
【図３】
0004018407.tif 000004
【図４】
0004018407.tif 000005
【図５】
0004018407.tif 000006
【図６】
0004018407.tif 000007
【図７】
0004018407.tif 000008
【図８】
0004018407.tif 000009
【図９】
0004018407.tif 000010